(57)【特許請求の範囲】
【請求項１】
ネットワーク側において、１スケジューリング周期にて、
スケジューリングされていないマルチキャストサービスチャンネルに割り当てられるＭＢＭＳ単一周波数ネットワークのサブフレームの番号が、利用可能なＭＢＭＳ単一周波数ネットワークのサブフレームの番号を超える数値である特別値であることに従ってマルチキャスト資源を割り当て、
前記ネットワーク側において、割り当てた前記マルチキャスト資源に基づいて動的スケジューリング情報を送信すること、を備えることを特徴とするマルチキャスト放送サービスに基づく動的スケジューリング情報の処理方法。
【請求項２】
前記ネットワーク側にて割り当てた前記マルチキャスト資源に基づいて前記動的スケジューリング情報を送信した後、
ユーザ装置により前記動的スケジューリング情報を受信し、前記動的スケジューリング情報から前記マルチキャストサービスチャンネルの前記ＭＢＭＳ単一周波数ネットワークのサブフレームの番号を読み取り、
前記ユーザ装置は、読み取った前記ＭＢＭＳ単一周波数ネットワークのサブフレームの番号が前記特別値であると、前記ネットワーク側で前記マルチキャストサービスチャンネルをスケジューリングしていないと確定することをさらに含むことを特徴とする請求項１に記載の方法。
【請求項３】
前記特別値は、前記マルチキャストサービスチャンネルがスケジューリングされたスケジューリング周期を示すことを特徴とする請求項２に記載の方法。
【請求項４】
前記動的スケジューリング情報から前記マルチキャストサービスチャンネルの前記ＭＢＭＳ単一周波数ネットワークのサブフレームの番号を読み取った後、
前記ユーザ装置によって、前記特別値に基づいて前記マルチキャストサービスチャンネルがスケジューリングされたスケジューリング周期を確定し、確定した前記スケジューリング周期においてマルチキャスト制御チャンネルのコンテンツに基づいて前記マルチキャスト資源を取得することをさらに含むことを特徴とする請求項３に記載の方法。
【請求項５】
前記ユーザ装置により確定した前記スケジューリング周期においてマルチキャスト制御チャンネルのコンテンツに基づいて前記マルチキャスト資源を取得する前に、
前記ユーザ装置によって予定の時刻に前記マルチキャスト制御チャンネルのコンテンツを読み取ることをさらに含み、ここで、前記予定の時刻は、システムフレーム番号ｍｏｄマルチキャスト制御チャンネルの重複周期又はマルチキャスト制御チャンネルの補正周期＝Pで、Pは整数で、前記マルチキャスト制御チャンネルの重複周期は前記スケジューリング周期の整数倍又は整数分の一で、前記マルチキャスト制御チャンネルの補正周期は前記マルチキャスト制御チャンネルの重複周期の整数倍であることを特徴とする請求項４に記載の方法。
【請求項６】
前記ＭＢＭＳ単一周波数ネットワークのサブフレームの番号は、スタートＭＢＭＳ単一周波数ネットワークのサブフレームの番号及び/又は終了ＭＢＭＳ単一周波数ネットワークのサブフレームの番号及び/又は持続するサブフレームの数を含むことを特徴とする請求項１ないし５のいずれか１項に記載の方法。
【請求項７】
１スケジューリング周期において、
スケジューリングされていないマルチキャストサービスチャンネルに割り当てられるＭＢＭＳ単一周波数ネットワークのサブフレームの番号が、利用可能なＭＢＭＳ単一周波数ネットワークのサブフレームの番号を超える数値である特別値であることに従ってマルチキャスト資源を割り当てる割り当てブロックと、
前記割り当てブロックによって割り当てられた前記マルチキャスト資源に基づいて動的スケジューリング情報を送信する送信ブロックと、
を備えることを特徴とするマルチキャスト放送サービスに基づく動的スケジューリング情報の処理装置。
【請求項８】
前記動的スケジューリング情報を受信する受信ブロックと、
前記動的スケジューリング情報から前記マルチキャストサービスチャンネルの前記ＭＢＭＳ単一周波数ネットワークのサブフレームの番号を読み取る読み取りブロックと、
前記読み取りブロックによって読み取られた前記ＭＢＭＳ単一周波数ネットワークのサブフレームの番号が前記特別値であると、ネットワーク側にて前記マルチキャストサービスチャンネルがスケジューリングされていないと確定する確定ブロックと、をさらに備えることを特徴とする請求項７に記載の装置。
【請求項９】
前記読み取りブロックにより読み取られた前記ＭＢＭＳ単一周波数ネットワークのサブフレームの番号に対応する前記特別値に基づいて前記マルチキャストサービスチャンネルがスケジューリングされたスケジューリング周期を確定し、確定した前記スケジューリング周期において前記マルチキャストサービスチャンネルに割り当てられたマルチキャスト資源を確定する第２の確定ブロックをさらに備えることを特徴とする請求項８に記載の装置。
【発明の詳細な説明】
【技術分野】
【０００１】
本発明は、通信分野に関し、具体的に、マルチキャスト放送サービスに基づく動的スケジューリング情報の処理方法及び装置に関する。
【背景技術】
【０００２】
従来、モバイルデータのマルチメディアサービスとテレビ会議、ＴＶ放送、ＶＯＤリクエスト、広告、ネットワーク教育、オンラインゲーム等の各種高周波数帯域のマルチメディアサービスは、モバイルユーザの上昇に伴うサービス需要を満足させるとともに、モバイルオペレーターに新規のサービス成長点を提供した。これらのモバイルデータのマルチメディアサービスは、複数のユーザが同時に同一のデータを受信する要求があり、通常のデータサービスに比べ、データ量が多く、持続時間長く、時間遅延に敏感である特徴を有している。
【０００３】
移動ネットワークの資源を有効に利用するため、第３代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ、以下３ＧＰＰと略称）により、１つのデータソースから複数のターゲットにデータを伝送する技術であるマルチメディアブロードキャスト・マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、以下、ＭＢＭＳと略称）が提案され、ネットワーク（コアーネットワークとアクセスネットワークを含む）資源の共有を実現し、ネットワーク資源（特に、エアーインターフェース資源）の利用率を向上させた。３ＧＰＰにより定義されたＭＢＭＳによると、ピュアテキストで低速度のメッセージのマルチキャスト及び放送を実現するとともに、高速のマルチメディアサービスの放送及びマルチキャストを実現し、豊かな動画像、オーディオ、マルチメディアサービスを提供し、今後のモバイルデータの発展動向に応じて、３Ｇの発展に更に良好なサービス将来性を与えた。
【０００４】
長期進化（Ｌｏｎｇ  Ｔｅｒｍ  Ｅｖｏｌｕｔｉｏｎ、以下ＬＴＥと略称）において、ＭＢＭＳサービスは、ＭＢＭＳ単一周波数ネットワーク（Ｍｕｌｔｉｃａｓｔ/Ｂｒｏａｄｃａｓｔ  ｏｖｅｒ  Ｓｉｎｇｌｅ  Ｆｒｅｑｕｅｎｃｙ  Ｎｅｔｗｏｒｋ、以下ＭＢＳＦＮと略称）の送信方式と呼ばれるマルチキャスト方式を採用することができ、マルチキャスト方式によって生成されるＭＢＭＳサービスもＭＢＳＦＮサービスと呼ばれ、複数の異なるセルにて同一の変調されたコードフォーマットで、同一の物理資源を利用して同一のコンテンツを生成することができ、ＭＢＭＳの複数セルでの伝送は、（１）ＭＢＳＦＮエリア内で同期伝送を行い、（２）複数のセルにおけるＭＢＭＳ伝送の併合を支援し、（３）マルチキャストトラフィックチャンネル（Ｍｕｌｔｉｃａｓｔ  Ｔｒａｆｆｉｃ  ｃｈａｎｎｅｌ、以下ＭＴＣＨと略称）とマルチキャスト制御チャンネル（Ｍｕｌｔｉｃａｓｔ  Ｃｏｎｔｒｏｌ  Ｃｈａｎｎｅｌ、以下ＭＣＣＨと略称）がｐ-Ｔ-ｍ（ポイント・ツー・マルチポイント）方式でマルチチャンネル（Ｍｕｌｔｉｃａｓｔ  Ｃｈａｎｎｅｌ、以下ＭＣＨと略称）の伝送チャンネルにマッピングされ、（４）ＭＢＳＦＮの同期エリア、ＭＢＳＦＮエリア、ＭＢＳＦＮ伝送、セル保留はいずれも操作メンテナンスを介して半静態で配置される特徴を有する。これにより、複数のセルにおけるユーザ装置（Ｕｓｅｒ  Ｅｑｕｉｐｍｅｎｔ、以下ＵＥと略称）は、コンテンツが同一の複数のＭＢＭＳデータを受信してＳＦＮ併合を行うことができ、受信信号のゲインを向上させることができる。
【０００５】
同一の物理資源を利用してＭＢＳＦＮを送信する送信モードで同一のＭＢＭＳサービスを送信する複数のセルによって一つのＭＢＳＦＮエリアが構成される。実際のＬＴＥネットワークの構築において、一つのＭＢＳＦＮエリアに幾つかのＭＢＳＦＮサービスが含まれ、これらの同一のＭＢＳＦＮエリアに属するすべてのＭＢＳＦＮサービスは一つのＭＢＳＦＮサービスセットと呼ばれ、つまり、一つのＭＢＳＦＮサービスセットは一つのＭＢＳＦＮエリアに属される。一つのＭＢＳＦＮエリアには、それぞれ完全に同一の一つのＭＢＳＦＮサービスセットが配置された複数のセルが含まれる。同一のＭＢＳＦＮエリアを有する複数のＭＢＳＦＮサービスのデータチャンネルであるＭＴＣＨ及びＭＢＳＦＮサービスの制御チャンネルであるＭＣＣＨは一つのＭＣＨに多重化することができる。同一のＭＢＳＦＮエリアにおけるＭＣＣＨと複数のＭＴＣＨ、すなわち、複数の論理チャンネルは同一の伝送チャンネルＭＣＨにマッピングされることができる。
【０００６】
図１は、関連技術に係る一つのＭＣＨのＭＢＳＦＮサブフレーム配置パターン（ＭＢＳＦＮ  Ｓｕｂｆｒａｍｅ  Ａｌｌｏｃａｔｉｏｎ  Ｐａｔｔｅｒｎ、以下ＭＳＡＰと略称）のｏｃｃａｓｉｏｎ（即ち、ＭＳＡＰシーン）によるマルチキャスト資源の割り当てを示す図である。図１に示すように、ＬＴＥシステムにおいて、ＭＣＨは伝送チャンネルであり、ポイント・ツー・マルチポイントの伝送を行う特徴を有し、対応する物理資源はシステムによってＭＢＭＳサービス（ＭＴＣＨ）の伝送のために割り当てたマルチキャスト資源で、一つのＭＣＨは、幾つかのＭＢＳＦＮフレームとＭＢＳＦＮサブフレームを含む一部のマルチキャスト資源に乗せられる。これらのマルチキャスト資源は、無線フレーム割り当てモードと無線サブフレーム割り当てモードを含む１セットのＭＳＡＰで配置され、各ＭＢＳＦＮエリアにおけるマルチキャスト資源は、サブフレームを単位に一定のパターンで複数の組を分けられ、各組によって一つのＭＣＨを構成し、または複数の組によって一つのＭＣＨを構成することができる。これにより、各ＭＣＨを構成する際に利用されたパターンが該ＭＣＨのＭＳＡＰと呼ばれ、一つのＭＳＡＰは一つのＭＣＨチャンネルの物理資源を描く。各セルは、一つまたは複数のＭＣＨを有することができる。その各ＭＣＨは一つのＭＳＡＰに唯一に対応し且つ一つのＭＢＳＦＮエリアに唯一に属されるが、各ＭＢＳＦＮエリアは一つまたは複数のＭＣＨを有することができる。各ＭＣＨにマルチキャスト資源を配置する配置方法は、各ＭＣＨに１セットのＭＳＡＰを配置することである。
【０００７】
図２は、関連技術によるスケジューリングブロック及びそれによる複数のＭＴＣＨマルチキャスト資源の指示を示す図である。図２に示すように、ＭＴＣＨの送信効率を向上させるため、各ＭＴＨに乗せられる複数のＭＴＣＨは動的スケジューリング方法を採るかことができ、動的スケジューリングによって二つまたは二つ以上のＭＴＣＨを同一のＭＢＳＦＮサブフレームに多重化して該サブフレームの一部の資源を利用することができる。関連技術において、ＭＳＡＰ概念にＭＳＡＰ  ｏｃｃａｓｉｏｎも導入され、動的スケジューリング周期の時間帯において、あるＭＳＡＰに対応する一つのＭＣＨに含まれるすべてのマルチキャスト資源を指示する。ＭＳＡＰ  ｏｃｃａｓｉｏｎは、複数のＭＴＣＨ及び動的スケジューリング情報を含み、さらにＭＣＣＨを含むことも可能であって、動的スケジューリング情報はＭＡＣ制御部（ＭＡＣ  ｃｏｎｔｒｏｌ  ｅｌｅｍｅｎｔ）に乗せられる、又は単独の論理チャンネルマルチキャストスケジューリングチャンネル（Ｍｕｌｔｉｃａｓｔ  ｓｃｈｅｄｕｌｉｎｇ  ｃｈａｎｎｅｌ、以下ＭＳＣＨと略称）に載せられることができ、ＭＳＡＰ  ｏｃｃａｓｉｏｎの長さは、通常３２０ｍｓに固定され、同様に、動的スケジューリング周期（本発明において、スケジューリング周期と略称）も通常３２０ｍｓに固定されるが、２ｎ×３２０ｍｓ（ｎ＝-５、-４、-３、-２、-１、０、１、２、３、４、…Ｎ）であってもよい。それに応じて、ＭＳＡＰ  ｏｃｃａｓｉｏｎの時間の長さは１０ｍｓ、４０ｍｓ、８０ｍｓ、１６０ｍｓ、３２０ｍｓ、６４０ｍｓ、１２８０ｍｓなどであって、一つのＭＳＡＰ  ｏｃｃａｓｉｏｎの時間の長さがスケジューリング周期で、一つの動的スケジューリング周期とも呼ばれる。本発明におけるＭＳＡＰ  ｏｃｃａｓｉｏｎは、３２０ｍｓである場合を例として説明するが、その他の長さのＭＳＡＰ  ｏｃｃａｓｉｏｎの利用方法はそれに類似する。
【０００８】
一つのＭＣＨはＭＳＡＰによって複数のＭＢＳＦＮフレーム及びＭＢＳＦＮサブフレームが割り当てられ、その中、マルチキャストモードで送信されるサブフレームはＭＢＳＦＮサブフレームと呼ばれ、ＭＢＳＦＮサブフレームを含むフレームはＭＢＳＦＮフレームと呼ばれる。１スケジューリング周期において、ＭＳＡＰ  ｏｃｃａｓｉｏｎに割り当てられるＭＢＳＦＮサブフレームの最大数値はスケジューリング周期の長さと関係つけられ、明らかのように、ＭＣＨのスケジューリング周期が長いほど、ＭＳＡＰ  ｏｃｃａｓｉｏｎに含まれるＭＢＳＦＮサブフレームの数が多い。
【０００９】
一つのＭＢＳＦＮフレームに最高で六つのＭＢＳＦＮサブフレームが含まれるので、スケジューリング周期が３２０ｍｓである場合、最高で３２個のＭＢＳＦＮフレームが含まれ、配置可能なＭＢＳＦＮサブフレームは最高で１９２（６×３２）である。一つのＭＣＨに割り当てられたマルチキャスト資源について、一番目のＭＢＳＦＮフレームの一番目のＭＢＳＦＮサブフレームから、最後のＭＳＦＮフレームの最後のＭＳＦＮサブフレームまでのＭＢＳＦＮサブフレームに番号をつけると、０、１、２から…１９１までである。スケジューリング周期が２ｎ×３２０ｍｓである場合、ＭＳＡＰ  ｏｃｃａｓｉｏｎに割り当てられたＭＢＳＦＮサブフレームは最高で６×２ｎ×３２個で、これらのＭＢＳＦＮサブフレームに番号をつけると、０、１、２、…（６×２ｎ×３２-１）である。
【００１０】
一つのＭＣＨに配置された各ＭＳＡＰ  ｏｃｃａｓｉｏｎに動的スケジューリング情報が載せられ、各ＭＴＣＨに割り当てられたマルチキャスト資源を永久に動的スケジューリングし、スケジューリングブロックに指示される動的スケジューリングの粒度は複数のＭＢＳＦＮサブフレームであってもよく、一つのＭＢＳＦＮサブフレームであってもよいであり、即ち、一つのＭＢＳＦＮサブフレームにおける資源は二つまたは二つ以上のＭＴＣＨに共有される。
【００１１】
動的スケジューリング情報は、ＭＴＣＨから補助ＭＳＡＰサブフレームまでのマッピング情報を帯びており、このようなマッピング情報は１ＭＳＡＰ周期内のインデックス番号関係に基づいて確定できるもので、本発明において、動的スケジューリング情報は動的スケジューリングブロックに載せられ、動的スケジューリングブロックはスケジューリングブロック（ｓｃｈｅｄｕｌｉｎｇ  ｂｌｏｃｋ）とも呼ばれ、スケジューリング情報は最終的にあるＭＳＡＰ内の特定のＭＢＳＦＮサブフレームのインデックス番号まで指示し、ＵＥは、スケジューリングブロックを読み取ることによって、各ＭＴＣＨがどのＭＢＳＦＮサブフレームに割り当てられたかを把握でき、対応するＭＢＳＦＮサブフレームにおいて自分の興味のあるＭＴＣＨを読み取ることができる。
【００１２】
スケジューリングブロック内の情報によって、各ＭＴＣＨに配置されたＭＢＳＦＮサブフレームの数を指示し、該ＭＴＣＨのスタートＭＢＳＦＮサブフレームの番号、及び/または各ＭＴＣＨの終了ＭＢＳＦＮサブフレームの番号及び/又は連続するＭＢＳＦＮサブフレームの数等で各ＭＴＣＨに指示する。該ＭＣＣＨにおいて、該ＭＳＡＰ  ｏｃｃａｓｉｏｎを指示し、即ち、該スケジューリング周期内において、それぞれＭＴＣＨ ＩＤである識別子を有するＭＴＣＨ中のどれが存在するかを指示し、スケジューリングブロックにおいて、配列する方法によって、各ＭＴＣＨを指示し、即ち、スケジューリングブロックに現れた一番目のＭＴＣＨはＭＣＣＨに現れた一番目のＭＴＣＨ ＩＤに対応するＭＴＣＨで、スケジューリングブロックに現れた二番目のＭＴＣＨはＭＣＣＨに現れた二番目のＭＴＣＨ ＩＤに対応するＭＴＣＨで、その以降もこのような方法で指示する。このように、スケジューリングブロックにおいて、各ＭＴＣＨに配置されたＭＢＳＦＮサブフレームの数さえ指示すれば、ＵＥはＭＣＣＨを読み取って取得したＭＴＣＨ ＩＤに基づいて、該スケジューリングブロックにおいて各ＭＴＣＨ（各ＭＴＣＨ ＩＤ）が占めるマルチキャスト資源を把握することができる。ＵＥが自分の興味のあるＭＢＭＳサービスを受信する場合、スケジューリングブロックに指示されたＭＢＳＦＮサブフレームに応じて、これらのサブフレームにおいて該ＭＢＭＳサービスのデータを読み取り、即ち、これらのＭＢＳＦＮサブフレームにおいてＭＴＣＨを読み取ればよい。
【００１３】
しかし、１スケジューリング周期または幾つかのスケジューリング周期において、ＵＥが興味を持っているＭＴＣＨにマルチキャスト資源が割り当てられていない場合、即ち該ＭＴＣＨがスケジューリングされていない場合、ＵＥが該スケジューリング周期または幾つかのスケジューリング周期内の他のＭＢＳＦＮサブフレームを受信しなければならなく、これによって、無駄な消費電力が生じる。また、ＭＣＣＨに複数のＭＴＣＨが配置される場合、スケジューリングブロックにあるサービスが現れていない場合、つまり、この時、あるＭＴＣＨにデータ送信が行われていないと、ＵＥはスケジューリングブロックにより指示された動的スケジューリング情報に基づいてＭＣＣＨに配置された各ＭＴＣＨの順序を取得し自分の興味のあるＭＴＣＨがどのＭＢＳＦＮサブフレームを占めるかを取得してこれらのサブフレームに乗せられたＭＢＭＳサービスのデータコンテンツを正確に読み取ることができない。
【発明の概要】
【発明が解決しようとする課題】
【００１４】
本発明は、関連技術によると無駄のＵＥの消費電力をもたらし、データが伝送されていないＭＴＣＨについて、ＵＥが自分の興味のあるＭＴＣＨがどのＭＢＳＦＮサブフレームを占めるかを把握して、これらのサブフレームに乗せられたＭＢＭＳサービスのデータコンテンツを正確に読み取ることができない問題に鑑み出されたもので、これらの問題中の少なくとも一つを解決できる改善されたマルチキャスト放送サービスに基づく動的スケジューリング情報の処理方法を提供することを目的とする。
【課題を解決するための手段】
【００１５】
上記の目的を実現するため、本発明の一方面によると、マルチキャスト放送サービスに基づく動的スケジューリング情報の処理方法を提供する。
【００１６】
本発明によるマルチキャスト放送サービスに基づく動的スケジューリング情報の処理方法は、ネットワーク側において１スケジューリング周期にて、（１）各マルチキャストサービスチャンネルに、スケジューリングされるか否かを示すマークを配置する方式と、（２）スケジューリングされたマルチキャストサービスチャンネルに、スケジューリングされたことを示すマークを配置する方式と、（３）スケジューリングされていないマルチキャストサービスチャンネルに、スケジューリングされていないことを示すマークを配置する方式と、（４）スケジューリングされていないマルチキャストサービスチャンネルに割り当てられるＭＢＭＳ単一周波数ネットワークのサブフレームの番号が特別値である又はマルチキャスト放送のサブフレームの番号を割り当てない方式と、の中の一つに従ってマルチキャスト資源を割り当て；ネットワーク側において割り当てたマルチキャスト資源に基づいて動的スケジューリング情報を送信する。
【００１７】
ネットワーク側にて（４）方式に従ってマルチキャスト資源を割り当てる場合、ネットワーク側にて割り当てたマルチキャスト資源に基づいて動的スケジューリング情報を送信した後、ユーザ装置により動的スケジューリング情報を受信し、動的スケジューリング情報からマルチキャストサービスチャンネルのＭＢＭＳ単一周波数ネットワークのサブフレームの番号を読み取り；ユーザ装置は、読み取ったＭＢＭＳ単一周波数ネットワークのサブフレームの番号が特別値であると、ネットワーク側でマルチキャストサービスチャンネルをスケジューリングしていないと確定するステップをさらに含むことが好ましい。
【００１８】
特別値は、マルチキャストサービスチャンネルがスケジューリングされたスケジューリング周期を示すことが好ましい。
【００１９】
動的スケジューリング情報からマルチキャストサービスチャンネルのＭＢＭＳ単一周波数ネットワークのサブフレームの番号を読み取った後、ユーザ装置によって、特別値に基づいてマルチキャストサービスチャンネルがスケジューリングされたスケジューリング周期を確定し、確定したスケジューリング周期においてマルチキャスト制御チャンネルのコンテンツに基づいてマルチキャスト資源を取得するステップをさらに含むことが好ましい。
【００２０】
ユーザ装置により確定した前記スケジューリング周期においてマルチキャスト制御チャンネルのコンテンツに基づいてマルチキャスト資源を取得する前に、ユーザ装置によって予定の時刻にマルチキャスト制御チャンネルのコンテンツを読み取るステップをさらに含むことが好ましいが、ここで、予定の時刻は、システムフレーム番号ｍｏｄマルチキャスト制御チャンネルの重複周期又はマルチキャスト制御チャンネルの補正周期＝Pで、Pは整数で、マルチキャスト制御チャンネルの重複周期はスケジューリング周期の整数倍又は整数分の一で、マルチキャスト制御チャンネルの補正周期はマルチキャスト制御チャンネルの重複周期の整数倍である。
【００２１】
特別値は、利用可能なＭＢＭＳ単一周波数ネットワークのサブフレームの番号を超える数値であることが好ましい。
【００２２】
マルチキャストサービスチャンネルにマルチキャスト放送のサブフレームの番号を割り当てない場合、スケジューリングブロックにマルチキャストチャンネルの識別子のみが含まれることが好ましい。
【００２３】
マークが「１」であると、マルチキャストサービスチャンネルがスケジューリングされたことを示し、マークが「０」であると、マルチキャストサービスチャンネルがスケジューリングされたいないことを示すことが好ましい。
【００２４】
ＭＢＭＳ単一周波数ネットワークのサブフレームの番号は、スタートＭＢＭＳ単一周波数ネットワークのサブフレームの番号及び/又は終了ＭＢＭＳ単一周波数ネットワークのサブフレームの番号及び/又は持続するサブフレームの数を含むことが好ましい。
【００２５】
上記の目的を実現するため、本発明の他の一方面によると、マルチキャスト放送サービスに基づく動的スケジューリング情報の処理装置を提供する。
【００２６】
本発明によるマルチキャスト放送サービスに基づく動的スケジューリング情報の処理装置は、１スケジューリング周期において、（１）各マルチキャストサービスチャンネルにスケジューリングされたか否かを示すマークを配置する方式と、（２）スケジューリングされたマルチキャストサービスチャンネルにスケジューリングされたことを示すマークを配置する方式と、（３）スケジューリングされていないマルチキャストサービスチャンネルにスケジューリングされていないことを示すマークを配置する方式と、（４）スケジューリングされていないマルチキャストサービスチャンネルに割り当てられるＭＢＭＳ単一周波数ネットワークのサブフレームの番号が特別値である又はマルチキャスト放送サブフレームの番号を割り当てない方式と、の中の一つに従ってマルチキャスト資源を割り当てる割り当てブロックと、割り当てブロックによって割り当てられたマルチキャスト資源に基づいて動的スケジューリング情報を送信する送信ブロックと、を備える。
【００２７】
また、上記の装置が、動的スケジューリング情報を受信する受信ブロックと、動的スケジューリング情報からマルチキャストサービスチャンネルのＭＢＭＳ単一周波数ネットワークのサブフレームの番号を読み取る読み取りブロックと、読み取りブロックによって読み取られたＭＢＭＳ単一周波数ネットワークのサブフレームの番号が特別値であるとネットワーク側にてマルチキャストサービスチャンネルがスケジューリングされていないと確定する確定ブロックと、をさらに含むことが好ましい。
【００２８】
読み取りブロックにより読み取られたＭＢＭＳ単一周波数ネットワークのサブフレームの番号に対応する特別値に基づいてマルチキャストサービスチャンネルがスケジューリングされたスケジューリング周期を確定し、確定したスケジューリング周期においてマルチキャストサービスチャンネルに割り当てられたマルチキャスト資源を確定する第２の確定ブロックをさらに含むことが好ましい。
【発明の効果】
【００２９】
本発明によると、スケジューリングされていないＭＴＣＨに割り当てられるＭＢＳＦＮサブフレームの番号が利用可能なＭＢＳＦＮサブフレームの番号を超える特別値である方法によって、ＵＥが興味を持っているＭＴＣＨが１スケジューリング周期又は幾つかのスケジューリング周期内にスケジューリングされていない場合、ＵＥが該スケジューリング周期又は幾つかのスケジューリング周期内の他のＭＢＳＦＮサブフレームを受信する必要があるためＵＥの無駄な消費電力を生じる問題を解決して、ＵＥの消費電力を削減することができる。
【図面の簡単な説明】
【００３０】
ここで説明する図面は本発明の理解させるためのもので、本願の一部を構成し、本発明における実施例及びその説明は本発明を解釈するもので、本発明を不当に限定するのではない。
【図１】は、関連技術によるＭＣＨのＭＳＡＰ  ｏｃｃａｓｉｏｎに割り当てられたマルチキャスト資源を示す図である。
【図２】は、関連技術によるスケジューリングブロック及びそれに指示された複数のＭＴＣＨマルチキャスト資源を示す図である。
【図３】は、本発明の実施例によるマルチキャスト放送サービスに基づく動的スケジューリング情報の処理方法を示すフローチャートである。
【図４】は、本発明の実施例によるマルチキャスト放送サービスに基づく動的スケジューリング情報の処理装置の構造を示すブロック図である。
【図５】は、本発明の実施例によるマルチキャスト放送サービスに基づく動的スケジューリング情報の処理装置の好適の構造を示すブロック図である。
【発明を実施するための形態】
【００３１】
機能総括
関連技術における幾つかのＭＴＣＨが１スケジューリング周期内にスケジューリングされていない場合、ＵＥが如何に自分の興味のあるＭＴＣＨがどのマルチキャスト資源に配置されているかを正確に探し出し、又は、自分の興味のあるＭＴＣＨがスケジューリングされていないことを発見するかの問題に鑑み、本発明の実施例は、スケジューリングされていないＭＴＣＨに割り当てられるＭＢＳＦＮサブフレームの番号が利用可能なＭＢＳＦＮサブフレームの番号を超える特別値である、又はスケジューリングされていないＭＴＣＨにＭＢＳＦＮサブフレーム番号を割り当てなく、又はスケジューリングされていないＭＴＣＨにスケジューリングされていないことを示すマークを配置する、又はスケジューリングされたＭＴＣＨにスケジューリングされたことを示すマークを配置する、又はスケジューリングされたＭＴＣＨにスケジューリングされたことを示すマークを配置すると共に、スケジューリングされていないＭＴＣＨにスケジューリングされていないことを示す他のマークを配置することによってＵＥの電力消耗を削減できる、マルチキャスト放送サービスに基づく動的スケジューリング情報の改善された処理方法を提供する。
【００３２】
ここで、互いに衝突しない状況下、本願の実施例及び実施例に記載の特徴は互いに組み合わせることが可能である。以下、図面を参照しつつ、実施例を結合して本発明を詳しく説明する。
【００３３】
方法の実施例
本発明の実施例によると、マルチキャスト放送サービスに基づく動的スケジューリング情報の処理方法を提供する。図３は、本発明の実施例に係わるマルチキャスト放送サービスに基づく動的スケジューリング情報の処理方法を示すフローチャートである。図３に示すように、該方法は以下のようなステップ３０２〜ステップ３０４を含む。
【００３４】
ステップ３０２：ネットワーク側においてマルチキャスト資源を割り当てる。その中、１スケジューリング周期において、（１）スケジューリングされていないＭＴＣＨに割り当てたＭＢＳＦＮサブフレームの番号が特別値（例えば、利用可能なＭＢＳＦＮサブフレームの番号を超えるもの）で、又はスケジューリングされていないＭＴＣＨにＭＢＳＦＮサブフレーム番号を割り当てない方式、（２）スケジューリングされていないＭＴＣＨにスケジューリングされていないことを示す識別子を配置する方式、（３）スケジューリングされたＭＴＣＨにスケジューリングされたことを示す識別子を配置する方式、（４）スケジューリングされたＭＴＣＨにスケジューリングされたことを示す特別値を配置し、且つ、スケジューリングされていないＭＴＣＨにスケジューリングされていないことを示す他の特別値を配置する方式、の中の一つに従って割り当てを行う。その中、ＭＢＳＦＮサブフレームの番号には、スタートＭＢＳＦＮサブフレームの番号及び/又は終了ＭＢＳＦＮサブフレームの番号及び/又は持続するサブフレームの数を含む。マルチキャストサービスチャンネルにマルチキャスト放送のサブフレームの番号を配置しない場合、スケジューリングブロックにはマルチキャストサービスチャンネルの識別子のみが含まれる。マークによってマルチキャストサービスチャンネルがスケジューリングされたか否かを指示する場合、スケジューリングブロックには該マルチキャストサービスチャンネルのマークを含む必要がある。例えば、各マルチキャストサービスチャンネルがスケジューリングされたか否かを指示するマークの場合、識別子「１」によって該マルチキャストサービスチャンネルがスケジューリングされたことを示し、識別子「０」によって該マルチキャストサービスチャンネルがスケジューリングされていないことを示すことができる。この時、各マルチキャストサービスチャンネルがスケジューリングされたか否かを{ＭＴＣＨ識別子、０/１}で示す。
【００３５】
さらに、識別子＝「１」である場合、該サービスはスケジューリングされ、その後に該サービスに割り当てられたマルチキャスト資源が記載されなければならない。例えば、{ＭＴＣＨ識別子、１、スタートサブフレーム及び/又は終了サブフレーム及び/又はサブフレームの数}；識別子＝「０」である場合、該サービスはスケジューリングされず、その後に該サービスに割り当てられたマルチキャスト資源が記載される必要がない。例えば、{ＭＴＣＨ識別子、０ }。
【００３６】
マルチキャストサービスチャンネルがスケジューリングされたか否かを指示するマークはマーク情報であることがであってもよく、識別子（例えば、「０」又は「１」）であってもよい。該マークの実現形態はさまざまで、本発明の実施例に記載の実現形態に限定されることはない。
【００３７】
具体的に、１スケジューリング周期において、あるＭＴＣＨがスケジューリングされていないと、即ち、該ＭＴＣＨにマルチキャスト資源が割り当てられていないと、該ＭＴＣＨに実際に利用可能なＭＢＳＦＮサブフレームを超える特別値、例えば（６×２ｎ×３２-１）を超える数値を割り当てることができ、その中、スケジューリング周期は、（２ｎ×３２０）ｍｓで、ｎ＝-５、-４、-３、-２、-１、０、１、２、３、４、…Ｎであって、該ＭＴＣＨにネットワーク側とＵＥの両方で知っている、上記の特別値における一つ又は複数である特定値を割り当てることもできる。
【００３８】
具体的に、１スケジューリング周期において、あるＭＴＣＨがスケジューリングされていないと、即ち該ＭＴＣＨにマルチキャスト資源が割り当てられていないと、該ＭＴＣＨにＭＢＳＦＮサブフレーム資源を割り当てなく、即ち、該ＭＴＣＨの番号のみがあって、実際に割り当てたマルチキャスト資源はない。
【００３９】
具体的に、１スケジューリング周期において、あるＭＴＣＨがスケジューリングされていないと、又はスケジューリングされると、該ＭＴＣＨには一つの特別値が割り当てられ、例えば、該特別値が１であると該ＭＴＣＨがスケジューリングされたことを示し、０であると該ＭＴＣＨがスケジューリングされていないことを示す。
【００４０】
ステップ３０４：ネットワーク側において、割り当てられたマルチキャスト資源に応じて動的スケジューリング情報を送信する。上記の割り当て方式が（１）である場合、動的スケジューリング情報が、特別値が割り当てられたＭＴＣＨを含むことが好ましい。
【００４１】
具体的に、該特別値は、利用可能なＭＢＳＦＮサブフレームの番号を超える数値、及び/又は如何なるＭＢＳＦＮサブフレームの番号も割り当てていない及び/又はスケジューリングされていないことを指示する識別子を指す。
【００４２】
ステップ３０４の後、上記の方法は、ＵＥにより動的スケジューリング情報を受信し、動的スケジューリング情報からＭＴＣＨのＭＢＳＦＮサブフレームの番号を読み取って；ＵＥは読み取ったＭＢＳＦＮサブフレームの番号が特別値であると、ネットワーク側においてＭＴＣＨをスケジューリングしていないと確定するステップをさらに含む。
【００４３】
さらに、上記の利用可能なＭＢＳＦＮサブフレームの番号を超えた特別値は、ＭＴＣＨがスケジューリングされたスケジューリング周期を指示することができ、これにより、ＵＥは該特別値に基づいてＭＴＣＨがスケジューリングされたスケジューリング周期を確定できて、且つ、確定したスケジューリング周期内でＭＴＣＨに割り当てられたマルチキャスト資源を取得する。
【００４４】
つまり、あるスケジューリング周期において、ＵＥにより、自分の興味のあるＭＴＣＨに割り当てられたＭＢＳＦＮサブフレームの番号が有効の番号を超えることが読み取られると、ＵＥは該スケジューリング周期内の他のＭＢＳＦＮサブフレームにおける情報を読み取らない。ＵＥは、さらに、ＭＢＳＦＮサブフレームの番号の具体値に基づいて、自分の興味のあるＭＴＣＨが次のスケジューリング周期内にあるか、又は幾つかのスケジューリング周期の間隔を経て再びスケジューリングブロックを読み取って該ＭＴＣＨに割り当てられたマルチキャスト資源を取得するかを判断する。
【００４５】
具体的に、ＵＥは、ＭＣＣＨコンテンツに基づいてスケジューリング周期内でマルチキャスト資源を取得する必要があるが、その中、ＵＥは、システムフレーム番号（Ｓｙｓｔｅｍ  Ｆｒａｍｅ  Ｎｕｍｂｅｒ、以下ＳＦＮと略称）ｍｏｄ ＭＣＣＨ重複周期/ＭＣＣＨ補正周期＝Ｐである条件を満たす予定の時刻にＭＣＣＨコンテンツを読み取る。
【００４６】
その中、ＭＣＣＨ重複周期は、スケジューリング周期の整数倍又は整数分の一に等しく、ＭＣＣＨ補正周期はＭＣＣＨ重複周期の整数倍に等しい。例えば、スケジューリング周期が一定で３２０ｍｓである場合、ＭＣＣＨ重複周期は３２０ｍｓの整数倍である。
【００４７】
該実施例によると、スケジューリングされていないＭＴＣＨに割り当てられたＭＢＳＦＮサブフレームの番号が利用可能なＭＢＳＦＮサブフレームの番号を超える特別値である方法によって、ＵＥが興味を持っているＭＴＣＨが１スケジューリング周期又は幾つかのスケジューリング周期内にスケジューリングされていない場合、ＵＥが該スケジューリング周期内又は幾つかのスケジューリング周期内の他のＭＢＳＦＮサブフレームを受信する必要があるため、無駄な消費電力を生じさせる問題を解決し、ＵＥの消費電力を削減できる。
【００４８】
以下、実例を結合して、本発明の実施例による実現フローについて詳しく説明する。
【００４９】
実施例１
２ｎ×３２０ｍｓ（ｎ= -５、-４、-３、-２、-１、０、１、２、３、４、…Ｎ，Ｎは整数）であるスケジューリング周期において、ＭＳＡＰ  ｏｃｃａｓｉｏｎに割り当て可能なＭＢＳＦＮサブフレームが最高で（６×２ｎ×３２）個であると、ＭＢＳＦＮ ｏｃｃａｓｉｏｎにおけるＭＢＳＦＮサブフレームの番号は０、１、２、…,（６×２ｎ×３２-１）で、これらのＭＢＳＦＮサブフレームの番号は有効の番号であって、該値を超えるＭＢＳＦＮサブフレームの番号は無効の番号で、特別値とも呼ばれ、実際のＭＢＳＦＮサブフレームの番号を表しないが、ある特定の意味を表すことができる。あるＭＴＣＨに割り当てられたスタートＭＢＳＦＮサブフレームがこのような無効の番号であると、該ＭＴＣＨが該スケジューリング周期においてスケジューリングされていない（即ち、該ＭＴＣＨにマルチキャスト資源が割り当てられていない）ことを示す。
【００５０】
例えば、３２０ｍｓのスケジューリング周期において、ＭＳＡＰ  ｏｃｃａｓｉｏｎに割り当て可能の総ＭＢＳＦＮサブフレームの番号は０、１、…１９１である。スケジューリングブロックにおいて、各ＭＴＣＨに指示したマルチキャスト資源、即ち、各ＭＴＣＨのスタートサブフレームの番号の有効値の範囲は０、１、…１９１で、同様に、スケジューリングブロックにおいて各ＭＴＣＨに終了サブフレームの番号又はサブフレームの数が配置された場合、その値の範囲は依然として０、１、…１９１で、これらの値はスケジューリングブロックによって各ＭＴＣＨに割り当てたマルチキャスト資源の有効値である。これに対し、その値が１９２又はその以上であると、ＵＥは該数値に基づいて実際に利用可能なスタート又は終了ＭＢＳＦＮサブフレームの番号又はＭＢＳＦＮサブフレームの数を得ることができなく、１９１を超える該値は無効の値（無効の番号）であって、特別値とも呼ばれる。ＵＥにより読み取られたＭＴＣＨのスタートＭＢＳＦＮサブフレームの番号が１９１以上であると、ＵＥは該ＭＴＣＨが該スケジューリング周期内でスケジューリングされていない、つまりマルチキャスト資源が割り当てられていないと判断する。
【００５１】
スケジューリングブロックにおいて各ＭＴＣＨにどんなマルチキャスト資源を割り当てたか、例えばどのＭＢＳＦＮサブフレームを占めたか指示し、スケジューリングされていないマルチキャスト資源、即ちＭＢＳＦＮサブフレームが割り当てられていないＭＴＣＨについて、スケジューリングブロックにおいて特定の指示情報を配置するが、該特定の指示情報はスケジューリングブロックにおいて各ＭＴＣＨに配置可能なＭＢＳＦＮサブフレームを超える値であってもよく、ネットワーク側とＵＥに予め特定された特別値であってもよい。例えば、スケジューリングブロックの周期が３２０ｍｓである場合、スケジューリングブロックにより各ＭＴＣＨに配置するＭＢＳＦＮサブフレームの最大値は１９１であり、１９２以上の数値で該特別値を表することができる。
【００５２】
総じていえば、１スケジューリング周期内で、あるＭＴＣＨがスケジューリングされていないと、即ち、該ＭＴＣＨにマルチキャスト資源が割り当てられていないと、該ＭＴＣＨに実際に利用可能なＭＢＳＦＮサブフレームを超える特別値、例えば、（６×２ｎ×３２-１）を超える値を割り当てることができ、その中、スケジューリング周期は（２ｎ×３２０）ｍｓで、ｎ＝-５、-４、-３、-２、-１、０、１、２、３、４、…Ｎであって、又は、該ＭＴＣＨにネットワーク側とＵＥとの両方で既知の特定値を割り当てることができる。通常、該特定値は上記の特別値中の一つ又は複数である。
【００５３】
スケジューリングブロックにより、各ＭＴＣＨのスタートＭＢＳＦＮサブフレームの番号、及び/又は終了ＭＢＳＦＮサブフレームの番号及び/又は持続するサブフレームの数を指示する方式よって各ＭＴＣＨにマルチキャスト資源を指示する場合、スケジューリングブロックはマルチキャスト資源がスケジューリングされたいないＭＴＣＨについて、該ＭＴＣＨのスタートＭＢＳＦＮサブフレームの番号及び/又は終了ＭＢＳＦＮサブフレームの番号及び/又は持続するサブフレームの数として、実際に割り当て可能なＭＢＳＦＮサブフレームの番号を超える一つ又は二つの値を割り当てる。例えば、スケジューリング周期が３２０ｍｓである場合、ｋ又はＬなどの値を該ＭＴＣＨのスタートＭＢＳＦＮサブフレームの番号及び/又は終了ＭＢＳＦＮサブフレームの番号及び/又は持続するサブフレームの数として利用し、この場合、ＫとＬはいずれも１９１を超える。
【００５４】
ＵＥによってＭＳＡＰ  ｏｃｃａｓｉｏｎにおけるスケジューリングブロックを読み取る場合、ＭＣＣＨにおけるコンテンツを読み取ることによって把握した複数のＭＴＣＨの順に基づいて、各ＭＴＣＨに割り当てられたマルチキャスト資源を順次取得し、一つ/一部のＭＴＣＨに配置されたスタートＭＢＳＦＮサブフレームの番号及び/又は終了ＭＢＳＦＮサブフレームの番号及び/又は持続するサブフレームの数が有効の番号値でない場合、又は該サブフレームの番号が予め特定した特別値である場合、ＵＥは該/これらのＭＴＣＨにマルチキャスト資源が割り当てられていないことを把握できる。
【００５５】
上記の方法によって、ＵＥは各ＭＴＣＨにどんなマルチキャスト資源が割り当てられたかを正確に把握できると共に、どの又はどれらのＭＴＣＨにマルチキャスト資源が割り当てられていないかを把握できる。その後、ＵＥはスケジューリングブロックにおける各ＭＴＣＨの資源割り当て情報に基づいて、対応するＭＢＳＦＮサブフレームにおいてＭＴＣＨコンテンツを読み取ることが可能となり、ＵＥが興味を持っているＭＴＣＨにマルチキャスト資源がスケジューリングされていない場合、ＵＥは該ＭＳＡＰ  ｏｃｃａｓｉｏｎにおける他のサブフレーム上の情報を読み取らなくてもよく、消費電力の削減効果を生じ得る。
【００５６】
以下、例を挙げて、改善されたノードＢ（Ｅ−ＵＴＲＡＮ ＮｏｄｅＢ、以下ｅＮｏｄｅ Ｂと略称）、中継ノード（ｒｅｌａｙ ｎｏｄｅ）等を含むネットワーク側から複数のＭＴＣＨにマルチキャスト資源を配置する方法を説明する：
（１）ネットワーク側によりＭＣＣＨにおいて一つ又は複数のＭＣＨを指定すると共に、各ＭＣＨに幾つかの異なるＭＴＣＨ ＩＤに対応する幾つかのＭＢＳＦＮサービスを含むと指定し、また、各ＭＣＨにどんなマルチキャスト資源を配置したかを指定する。
【００５７】
その中、あるＭＣＨのスケジューリング周期が一定値（例えば、一定の１６０ｍｓ、３２０ｍｓ、６４０ｍｓ等）であると、ＭＣＣＨに該ＭＣＨのスケジューリング周期を配置する必要がなく、ＭＣＨのスケジューリング周期が一定値ではない（例えば、一定の３２０ｍｓではない）と、ＭＣＣＨに該ＭＣＨのスケジューリング周期を配置することができ、スケジューリング周期によってＭＳＡＰ  ｏｃｃａｓｉｏｎに含まれる最大のＭＢＳＦＮフレーム及びＭＢＳＦＮサブフレームの数が唯一に決められる。
【００５８】
その中、ＭＣＣＨにより指定された各ＭＣＨのすべてのＭＢＳＦＮサービスは、一つのＭＴＣＨリストを構成することができ、一番目に現れるＭＢＳＦＮサービスの番号を１とし、二番目に現れるＭＢＳＦＮサービスの番号を２とし、このように、最後のＭＢＳＦＮサービスが現れるまで番号をつけると、これらの各ＭＢＳＦＮサービスに割り当てられた番号は実質的にはその識別子であって、且つ、１又は０から始まり単調増加する番号であって；ＭＣＣＨにより指定された各ＭＣＨのすべてのＭＢＳＦＮサービスに一つの番号に相当する一つの識別子を割り当てることもでき、この時、各ＭＢＳＦＮサービスの識別子または番号は連続していない識別子または番号であることができるが、唯一の識別子又は番号でなければならない。
【００５９】
（２）ネットワーク側において、あるＭＣＨのスケジューリング周期において、一つのＭＳＡＰ  ｏｃｃａｓｉｏｎにおけるスケジューリングブロックにおいて該ＭＣＨによりマッピングされた幾つかのＭＴＣＨのマルチキャスト資源を指定する。
【００６０】
その中、ＵＥによりまずスケジューリングブロックを読み取った後、スケジューリングブロックにおける動的スケジューリングコンテンツに基づいて、どのＭＢＳＦＮサブフレームにおいて自分の興味のあるＭＢＭＳサービスを読み取るかを決定し、又は該スケジューリングブロックにおいて他の如何なるＭＢＳＦＮサブフレームを読み取らない（自分の興味のあるＭＴＣＨがスケジューリングされていない場合）と決定するので、スケジューリングブロックは、通常、ＭＳＡＰ  ｏｃｃａｓｉｏｎに割り当てられたすべてのＭＢＳＦＮサブフレームにおける一番目のＭＢＳＦＮサブフレームに配置される。
【００６１】
その中、あるＭＣＨのスケジューリング周期が一定値（例えば、一定の１６０ｍｓ、３２０ｍｓ、６４０ｍｓ等）である場合、スケジューリングブロックにおける動的スケジューリング情報に該ＭＣＨのスケジューリング周期を配置する必要がない；あるＭＣＨのスケジューリング周期が一定値ではない（例えば、一定の３２０ｍｓではない）場合、スケジューリングブロックにおける動的スケジューリング情報に該ＭＣＨのスケジューリング周期を配置する必要がある；スケジューリング周期によってＭＳＡＰ  ｏｃｃａｓｉｏｎに含まれる最大のＭＢＳＦＮフレーム及びＭＢＳＦＮサブフレームの数が唯一に決められる。
【００６２】
その中、スケジューリングされたＭＴＣＨに対して、スケジューリングブロックにおいて有効のＭＢＳＦＮサブフレームの番号を配置することによってマルチキャスト資源を割り当て、スケジューリングされていないＭＴＣＨに対して、スケジューリングブロックにおいて無効のＭＢＳＦＮサブフレームの番号を配置することによってマルチキャスト資源を割り当てない。
【００６３】
その中、スケジューリングブロックにより、スタートＭＢＳＦＮサブフレームの番号又は終了ＭＢＳＦＮサブフレームの番号又は連続するＭＢＳＦＮサブフレームの数を配置する方式によって、各ＭＴＣＨにマルチキャスト資源を割り当てる。スケジューリングされたＭＴＣＨの場合、その配置されたスタートＭＢＳＦＮサブフレームの番号又は終了ＭＢＳＦＮサブフレームの番号又は連続するＭＢＳＦＮサブフレームの数は有効値であって、スケジューリングされていないＭＴＣＨの場合、その配置された値は特別値又は特定した一定値である。
【００６４】
その中、スケジューリングブロックにおいて各ＭＴＣＨの番号を暗示してもよく明示してもよい。暗示するとは、スケジューリングブロックにおいて、各ＭＴＣＨはＭＣＣＨに指示されたＭＴＣＨを順に配列して番号をつける、即ち、ＭＣＣＨにおいて一番目に現れるＭＴＣＨに１と番号を付け、二番目に現れるＭＴＣＨに２と番号をつけ、このように、最後のＭＴＣＨまで番号をつけることを言う。明示するとは、スケジューリングブロックにおける各ＭＴＣＨに、ＭＣＣＨにおけるＭＴＣＨに配置された番号に逐一対応する唯一の番号を配置することを言う。
【００６５】
ＵＥによって自分の興味のあるＭＢＭＳサービスを読み取る方法は以下のとおりである。
【００６６】
（１）ＵＥによりＭＣＣＨを読み取って一つ又は複数のＭＣＨを取得し、各ＭＣＨにどんなＭＴＣＨ ＩＤのＭＴＣＨが配置されたかを把握する。
【００６７】
（２）１スケジューリング周期において、ＵＥによりあるＭＣＨのＭＳＡＰ  ｏｃｃａｓｉｏｎにおけるスケジューリングブロック中の各ＭＴＣＨに割り当てられたマルチキャスト資源を読み取る。即ち、ＵＥは各ＭＴＣＨにどんなマルチキャスト資源が割り当てられたかを把握することができ、どのＭＴＣＨにマルチキャスト資源が割り当てられていないかも把握できる。
【００６８】
ＵＥによりスケジューリングブロックにスケジューリング周期が配置されたか否かを読み取り、該スケジューリング周期の長さ及び該スケジューリング周期に幾つの無線フレームが割り当てられたかを把握できると共に、該スケジューリング周期においてＭＳＡＰ  ｏｃｃａｓｉｏｎに配置可能なＭＢＳＦＮサブフレームの最大値を把握できる。
【００６９】
そして、スケジューリング周期をスケジューリングブロックに配置せずに、ＭＣＣＨに配置することもでき、つまり、ＵＥはＭＣＣＨのコンテンツを読み取ることによって、あるＭＣＨのスケジューリング周期の長さ、つまり、スケジューリング周期内に幾つの無線フレームが含まれたかを把握できると共に、該スケジューリング周期において、ＭＳＡＰ  ｏｃｃａｓｉｏｎに配置可能なＭＢＳＦＮサブフレームの最大値を把握できる。
【００７０】
また、あるＭＣＨのスケジューリング周期はスケジューリングブロック又はＭＣＣＨに配置され、スケジューリング周期の有効時間は異なっている。スケジューリングブロックに配置されると、該スケジューリング周期が該スケジューリングのみに適用することを示し、毎回の動的スケジューリングのスケジューリング周期は異なることができる。しかし、スケジューリング周期がＭＣＣＨに配置されると、ＵＥは、ＭＣＣＨを読み取った後ＭＣＣＨが更新されるまで、すべてのスケジューリング周期を変更することができない。つまりすべてのスケジューリング周期は同様である。
【００７１】
（３）該ＵＥが興味を持っているＭＴＣＨにマルチキャスト資源が割り当てられると、ＵＥは、該ＭＴＣＨに割り当てられたＭＢＳＦＮサブフレームにおいてＭＴＣＨコンテンツを受信し、他のＭＢＳＦＮサブフレームにおけるデータを受信しなく読み取らない。該ＵＥが興味を持っているＭＴＣＨにマルチキャスト資源が割り当てられていないと、該ＵＥは、該スケジューリング周期におけるすべてのＭＢＳＦＮサブフレームを受信しなく、該スケジューリング周期におけるすべてのＭＢＳＦＮサブフレームのデータを読み取らなく、ＵＥは次のスケジューリング周期において、再びスケジューリングブロックにおけるコンテンツを読み取って、自分の興味のあるＭＴＣＨがスケジューリングされたか否かを判断し、さらにそのスケジューリング周期においてＭＢＳＦＮサブフレームを受信及び読み取る必要があるか否かを判断する。
【００７２】
実施例２
一つの２ｎ×３２０ｍｓ（ｎ＝-５、-４、-３、-２、-１、０、１、２、３、４、…Ｎ，Ｎは整数である）のスケジューリング周期において、ＭＳＡＰ  ｏｃｃａｓｉｏｎに配置可能なＭＢＳＦＮサブフレームが最高で（６×２ｎ×３２）個であると、ＭＢＳＦＮ ｏｃｃａｓｉｏｎにおけるＭＢＳＦＮサブフレームの番号は０、１、２、…、（６×２ｎ×３２-１）で、これらのＭＢＳＦＮサブフレームの番号は有効の番号で、該値を超えるＭＢＳＦＮサブフレームの番号は無効の番号で特別値とも呼ばれ、実際のＭＢＳＦＮサブフレームの番号を指すのではないが、他の特定の意味を表すことができる。あるＭＴＣＨに割り当てられたスタートＭＢＳＦＮサブフレームがこのような無効の番号であると、該ＭＴＣＨが該スケジューリング周期においてスケジューリングされていないことを示し（即ち、該ＭＴＣＨにマルチキャスト資源が割り当てられていない）、且つ、該特別値によって該ＭＴＣＨが次の幾つかのスケジューリング周期後にスケジューリングされることを指示することができる。
【００７３】
具体的に、一つの２ｎ×３２０ｍｓであるスケジューリング周期において、スケジューリングブロックにおいてあるＭＴＣＨに割り当てたスタートサブフレームの番号が（６×２ｎ×３２-１）を超えると、該ＭＴＣＨが該スケジューリング周期にてスケジューリングされていないことを示す。さらに、
スタートＭＢＳＦＮサブフレームの番号＝６×２ｎ×３２であると、該ＭＴＣＨは次のスケジューリング周期にてマルチキャスト資源が割り当てられ、
スタートＭＢＳＦＮサブフレームの番号＝６×２ｎ×３２+１であると、該ＭＴＣＨは該スケジューリング周期後の二番目のスケジューリング周期にてマルチキャスト資源が割り当てられ、
スタートＭＢＳＦＮサブフレームの番号＝６×２ｎ×３２+２であると、該ＭＴＣＨは該スケジューリング周期の後の三番目のスケジューリング周期にてマルチキャスト資源が割り当てられ、
…
スタートＭＢＳＦＮサブフレームの番号＝６×２ｎ×３２+ｋであると、該ＭＴＣＨは該スケジューリング周期後のｋ+１番目のスケジューリング周期にてマルチキャスト資源が割り当てられる。
【００７４】
このように、あるスケジューリング周期において、ＵＥによって読み取られた自分の興味のあるＭＴＣＨに割り当てられたＭＢＳＦＮサブフレームの番号が有効の番号を超えると、ＵＥは該スケジューリング周期内の他のＭＢＳＦＮサブフレームにおける情報を読み取らなく、ＵＥはさらに番号の具体値に基づいて自分の興味のあるＭＴＣＨが次のスケジューリング周期又は幾つかの周期を隔ててスケジューリングされるかを判断し、再びスケジューリングブロックを読み取って該ＭＴＣＨに割り当てられたマルチキャスト資源を取得する。
【００７５】
実施例３
１スケジューリング周期において、あるＭＴＣＨにＭＢＳＦＮサブフレームが割り当てられていないと、この時、スケジューリングブロックにＭＴＣＨ識別子（ＭＴＣＨ ＩＤ，つまり一つのＭＢＳＦＮサービスの番号）が一つのみであって、該ＭＴＣＨがスケジューリングされていないことを示す。又は、１スケジューリング周期において、あるＭＴＣＨにＭＢＳＦＮサブフレームが割り当てられていないと、この時、スケジューリングブロックにおいて該ＭＴＣＨに配置する特別値を０に設定し、該ＭＴＣＨがスケジューリングされていないことを示す。
【００７６】
スケジューリングブロックにおいて各ＭＴＣＨにどんなマルチキャスト資源を割り当てたか、例えば、どのＭＢＳＦＮサブフレームを占めるかを指示し、スケジューリングされていない各マルチキャスト資源について、即ち、ＭＢＳＦＮサブフレームが割り当てられていないＭＴＣＨについて、スケジューリングブロックにおいてＭＢＳＦＮサブフレームを割り当てない。
【００７７】
上記の方法によって、ＵＥは、各ＭＴＣＨにどんなマルチキャスト資源が割り当てられたかを把握でき、どの又はどれらのＭＴＣＨにマルチキャスト資源が割り当てられていないかも把握できる。その後、ＵＥは各ＭＴＣＨの割り当て情報に基づいて、対応するＭＢＳＦＮサブフレームでＭＴＣＨコンテンツを読み取ることができ、ＵＥが興味を持っているＭＴＣＨにマルチキャスト資源がスケジューリングされていない場合、ＵＥは該ＭＳＡＰ  ｏｃｃａｓｉｏｎにおける他のサブフレーム上の情報を読み取らないので、消費電力を削減できる。
【００７８】
次、例を挙げて説明する。
【００７９】
改善されたノードＢ（Ｅ−ＵＴＲＡＮ ＮｏｄｅＢ、以下ｅＮｏｄｅ Ｂと略称）、中継ノード（ｒｅｌａｙ Ｎｏｄｅ）等を含むネットワーク側により複数のＭＴＣＨにマルチキャスト資源を配置する。
【００８０】
（１）ネットワーク側によりＭＣＣＨにおいて一つ又は複数のＭＣＨを指定すると共に、各ＭＣＨに、幾つかの異なるＭＴＣＨ ＩＤに対応する幾つかのＭＢＳＦＮサービスが存在することを指定し、各ＭＣＨにどんなマルチキャスト資源を配置したかを指定する。
【００８１】
その中、ＭＣＣＨにより指定された各ＭＣＨのすべてのＭＢＳＦＮサービスは、一つのＭＴＣＨリストを構成することができ、一番目に現れるＭＢＳＦＮサービスに１と、二番目に現れるＭＢＳＦＮサービスに２と番号をつけ、このように、最後のＭＢＳＦＮサービスが現れるまで番号をつけるが、このような各ＭＢＳＦＮサービスに割り当てた番号が実質的にはその識別子であって、且つ、１又は０から始まる単調増加する番号である。また、ＭＣＣＨにより指定された各ＭＣＨのすべてのＭＢＳＦＮサービスに一つの番号に相当する一つの識別子を割り当てることができ、この時、各ＭＢＳＦＮサービスの識別子又は番号は連続していない識別子又は番号であってよいが、唯一の識別子又は番号でなければならない。
【００８２】
その中、あるＭＣＨのスケジューリング周期が一定値（例えば、一定である１６０ｍｓ、３２０ｍｓ、６４０ｍｓ等）であると、ＭＣＣＨに該ＭＣＨのスケジューリング周期を割り当てる必要がなく、ＭＣＨのスケジューリング周期が一定値ではない（例えば、一定の３２０ｍｓではない）場合、ＭＣＣＨに該ＭＣＨのスケジューリング周期を割り当てることができる。スケジューリング周期によってＭＳＡＰ  ｏｃｃａｓｉｏｎに含まれる最大のＭＢＳＦＮフレーム及びＭＢＳＦＮサブフレームの数が唯一に決められる。
【００８３】
（２）ネットワーク側によりＭＣＨのスケジューリング周期において、一つのＭＳＡＰ  ｏｃｃａｓｉｏｎにおけるスケジューリングブロックにおいて、該ＭＣＨがマッピングされた幾つかのＭＴＣＨのマルチキャスト資源を指定する。
【００８４】
その中、ＵＥは、まずスケジューリングブロックを読み取った後、スケジューリングブロックにおける動的スケジューリングコンテンツに基づいてどのＭＢＳＦＮサブフレームにおいて自分の興味のあるＭＢＭＳサービスを読み取るかを決め、又は該スケジューリングブロックにおいて他のＭＢＳＦＮサブフレームを読み取らない（自分の興味のあるＭＴＣＨがスケジューリングされていない場合）と決定するので、スケジューリングブロックは、通常、ＭＳＡＰ  ｏｃｃａｓｉｏｎに割り当てられたすべてのＭＢＳＦＮサブフレーム中の一番目のＭＢＳＦＮサブフレームに配置される。
【００８５】
その中、ＭＣＨのスケジューリング周期が一定値（例えば、一定の１６０ｍｓ、３２０ｍｓ、６４０ｍｓ等）である場合、スケジューリングブロックにおける動的スケジューリング情報に該ＭＣＨのスケジューリング周期を配置する必要がなく、ＭＣＨのスケジューリング周期が一定値ではない（例えば、一定の３２０ｍｓではない）である場合、スケジューリングブロックに配置される動的スケジューリング情報に該ＭＣＨのスケジューリング周期を配置する必要がある。スケジューリング周期によって、ＭＳＡＰ  ｏｃｃａｓｉｏｎに含まれる最大のＭＢＳＦＮフレーム及びＭＢＳＦＮサブフレームの数が唯一に決められる。
【００８６】
その中、スケジューリングされたＭＴＣＨについて、スケジューリングブロックにおいて有効のＭＢＳＦＮサブフレームの番号を配置することによってマルチキャスト資源を割り当て、スケジューリングされていないＭＴＣＨについて、スケジューリングブロックにＭＢＳＦＮサブフレームを配置しなく且つ一つのＭＴＣＨの識別子のみが存在し、又は、スケジューリングされていないＭＴＣＨについて、スケジューリングブロックにおいて該ＭＴＣＨのスケジューリングされたか否かを示すマーク（例えば、識別子）を０に設定し、又は、スケジューリングされていないＭＴＣＨについて、スケジューリングブロックにおいて該ＭＴＣＨのスケジューリングされたか否か示すマーク（例えば、識別子）を０に設定すると共に、スケジューリングされたＭＴＣＨについて、スケジューリングブロックにおいて、該ＭＴＣＨのスケジューリングされたか否かを示すマーク（例えば識別子）を１に設定し、又は、スケジューリングされたＭＴＣＨについて、スケジューリングブロックにおいて、該ＭＴＣＨのスケジューリングされたか否かを示すマーク（例えば、識別子）を１に設定する。
【００８７】
その中、スケジューリングブロックによって、スタートＭＢＳＦＮサブフレームの番号又は終了ＭＢＳＦＮサブフレームの番号又は連続するＭＢＳＦＮサブフレームの数を配置する方式によって各ＭＴＣＨにマルチキャスト資源を割り当てる。スケジューリングされたＭＴＣＨの場合、その配置されたスタートＭＢＳＦＮサブフレームの番号又は終了ＭＢＳＦＮサブフレームの番号又は連続するＭＢＳＦＮサブフレームの数は有効値であって、スケジューリングされていないＭＴＣＨの場合、その配置された値は特別値又は特定した一定値である。
【００８８】
ＵＥによって自分の興味のあるＭＢＭＳサービスを読み取る方法は、以下のとおりである。
【００８９】
（１）ＵＥによりＭＣＣＨを読み取って一つ又は複数のＭＣＨを取得し、各ＭＣＨにどんなＭＴＣＨ ＩＤのＭＴＣＨを配置したかを把握する。
【００９０】
（２）１スケジューリング周期において、ＵＥによりＭＣＨのＭＳＡＰ  ｏｃｃａｓｉｏｎにおけるスケジューリングブロック中の各ＭＴＣＨに割り当てられたマルチキャスト資源を読み取る。即ち、ＵＥは各ＭＴＣＨにどんなマルチキャスト資源が割り当てられたかを把握することができ、どのＭＴＣＨにマルチキャスト資源が割り当てられていないかも把握できる。
【００９１】
ＵＥがスケジューリングブロックにスケジューリング周期が配置されたか否かを読み取ることによって、該スケジューリング周期の長さ及び該スケジューリング周期に幾つの無線フレームが割り当てられたかを把握できると共に、該スケジューリング周期においてＭＳＡＰ  ｏｃｃａｓｉｏｎに配置可能なＭＢＳＦＮサブフレームの最大値を把握できる。
【００９２】
そして、スケジューリング周期をスケジューリングブロックに配置せずに、ＭＣＣＨに配置することもでき、つまり、ＵＥはＭＣＣＨのコンテンツを読み取ることによって、あるＭＣＨのスケジューリング周期の長さを把握することでき、これにより、スケジューリング周期内に幾つの無線フレームが配置されたかを把握できると共に、該スケジューリング周期においてＭＳＡＰ  ｏｃｃａｓｉｏｎに配置可能なＭＢＳＦＮサブフレームの最大値を把握できる。
【００９３】
あるＭＣＨのスケジューリング周期は、スケジューリングブロック又はＭＣＣＨに配置され、スケジューリング周期の有効時間は異なっている。スケジューリングブロックに配置されると、該スケジューリング周期が該スケジューリングのみに適用することを示し、毎回の動的スケジューリング際のスケジューリング周期は異なってもよい。一方、スケジューリング周期がＭＣＣＨに配置されると、ＵＥがＭＣＣＨを読み取った後ＭＣＣＨが更新されるまで、すべてのスケジューリング周期を変更することができない。つまりすべてのスケジューリング周期は同様である。
【００９４】
（３）ＵＥが興味を持っているＭＴＣＨにマルチキャスト資源が割り当てられていると、ＵＥは該ＭＴＣＨに割り当てられたＭＢＳＦＮサブフレームにおいてＭＴＣＨコンテンツを受信し、他のＭＢＳＦＮサブフレームにおけるデータを受信しなく読み取らない。ＵＥが興味を持っているＭＴＣＨにマルチキャスト資源が割り当てられていないと、該ＵＥは、スケジューリング周期におけるすべてのＭＢＳＦＮサブフレームを受信しなく、該スケジューリング周期におけるすべてのＭＢＳＦＮサブフレームのデータも読み取らなく、ＵＥは次のスケジューリング周期において、再びスケジューリングブロックにおけるコンテンツを読み取って、自分の興味のあるＭＴＣＨがスケジューリングされたか否かを判断し、さらにどのスケジューリング周期においてＭＢＳＦＮサブフレームを受信及び読み取る必要があるかを判断する。
【００９５】
実施例４
ＵＥは１スケジューリング周期において、ＭＳＡＰ  ｏｃｃａｓｉｏｎに割り当てられたマルチキャスト資源を読み取り、その中の各ＭＴＣＨに割り当てられたマルチキャスト資源を把握するため、まずＭＣＣＨを読み取ってどのＭＴＣＨが該ＭＣＨにマッピングされたかを把握しなければならない。該実施例は、ネットワーク側により如何にＭＣＣＨを配置するか、即ち、ＵＥはＭＣＣＨをどのように読み取るかを説明する。
【００９６】
ＭＣＣＨの送信周期には、ＭＣＣＨ重複周期が含まれ、さらにＭＣＣＨの補正周期を含む又は含まない。システム放送メッセージに一つのパラメータＮを配置する方法でシステム放送メッセージにＭＣＣＨ重複周期を配置するが、ここで、ＭＣＣＨ重複周期＝スケジューリング周期×Ｎで、スケジューリング周期が一定で３２０ｍｓである場合、ＭＣＣＨ重複周期＝３２０ｍｓ×Ｎで、又は３２０ｍｓ×(1/Ｎ)で、３２０ｍｓの整数倍又は整数分の一でＭＣＣＨコンテンツを送信することを示し、Ｎの最小値は１であり、最高値は限定されていないで、理論的には需要に応じて任意に設定することができる。
【００９７】
ＭＣＣＨの発生周期にＭＣＣＨ重複周期のみが含まれ、ＭＣＣＨ補正周期が含まれていない場合、ＭＣＣＨ重複周期はＭＣＣＨ周期とも呼ばれる。そして、ＭＣＣＨの発生周期にＭＣＣＨの補正周期が含まれる場合、システム放送メッセージに一つのパラメータＫを配置する方法によってシステム放送メッセージにＭＣＣＨの重複周期を配置し、ここで、ＭＣＣＨ補正周期＝ＭＣＣＨ重複周期×Ｋで、ＭＣＣＨ重複周期の整数倍でＭＣＣＨコンテンツを送信することを示し、その中、Ｋの最小値は１であり、最高値は限定されていないで、理論的には需要に応じて任意に配置することができる。
【００９８】
ＵＥによってＭＣＣＨコンテンツを取得する方法は、以下のとおりである。ＳＦＮ ｍｏｄ ＭＣＣＨ重複周期＝Ｐ（Ｐは整数である）である時刻にＭＣＣＨコンテンツを読み取る。ネットワーク側にＭＣＣＨ補正周期がさらに配置されていると、ＵＥはSFＮ ｍｏｄ ＭＣＣＨ補正周期＝Ｐである時刻にＭＣＣＨのコンテンツを読み取る。ＵＥは、各ＭＣＣＨの重複周期においてＭＣＣＨコンテンツを読み取る。各ＭＣＣＨ重複周期におけるＭＣＣＨコンテンツが同一であるので、完全なＭＣＣＨコンテンツが読み取られると、ＵＥは他のＭＣＣＨ重複周期におけるＭＣＣＨコンテンツを読み取る必要がなく、ＵＥは次のＭＣＣＨ補正周期において再びＭＣＣＨコンテンツを読み取る。
【００９９】
ＵＥは、ＭＣＣＨコンテンツを読み取ったら、各ＭＣＨに幾つのＭＴＣＨが含まれるか及び各ＭＴＣＨのＭＴＣＨ ＩＤ識別子を把握することができる。
【０１００】
実施例３は、上記の実施例１又は実施例２と結合して利用することができれば単独に利用することもできる。
【０１０１】
装置の実施例
本発明の実施例によると、マルチキャスト放送サービスに基づく動的スケジューリング情報の処理装置を提供する。図４は、本発明の実施例に係わるマルチキャスト放送サービスに基づく動的スケジューリング情報の処理装置の構造を示すブロック図である。図４に示すように、該装置は、ネットワーク側に設けられた割り当てブロック２と、送信ブロック４と、を備え、以下、詳しく説明する。
【０１０２】
割り当てブロック２はマルチキャスト資源を割り当てるに用いられ、送信ブロック４は割り当てブロック２に接続され、割り当てブロック２により割り当てられたマルチキャスト資源に基づいて動的スケジューリング情報を送信する。
【０１０３】
スケジューリング周期において、割り当てブロック２は、以下に掲げた方式の一つにより配置を行う。即ち、
（１）各マルチキャストサービスチャンネルに、スケジューリングされたか否かを示す一つのマークを配置する。
【０１０４】
（２）スケジューリングされたマルチキャストサービスチャンネルにスケジューリングされたことを示す一つのマークを配置する。
【０１０５】
（３）スケジューリングされていないマルチキャストチャンネルにスケジューリングされていないことを示す一つのマークを配置する。
【０１０６】
（４）スケジューリングされていないマルチキャストサービスチャンネルに割り当てたＭＢＭＳ単一周波数ネットワークのサブフレームの番号は特別値であって、又はマルチキャスト放送のサブフレームの番号を割り当てないが、この時、動的スケジューリング情報には、特別値が割り当てられたＭＴＣＨが含まれる。
【０１０７】
図５は、本発明の実施例に係わるマルチキャスト放送サービスに基づく動的スケジューリング情報の処理装置の好適の構造を示すブロック図である。図５に示すように、該装置は、ＵＥ側に設けられた受信ブロック５２と、読み取りブロック５４と、第１の確定ブロック５６と、第２の確定ブロック５８と、さらに備えることが好ましい。以下、詳しく説明する。
【０１０８】
受信ブロック５２は、送信ブロック４に接続されて、送信ブロック４からの動的スケジューリング情報を受信し、読み取りブロック５４は、受信ブロック５２に接続されて、受信ブロック５２から受信した動的スケジューリング情報からＭＴＣＨのＭＢＳＦＮサブフレームの番号を読み取り、第１の確定ブロック５６は、読み取りブロック５４に接続されて、読み取りブロック５４によって読み取られたＭＢＳＦＮサブフレームの番号が特別値であるとネットワーク側にＭＴＣＨをスケジューリングしていないと確定し、第２の確定ブロック５８は、読み取りブロック５４に接続されて、読み取りブロック５４により読み取られたＭＢＳＦＮサブフレームの番号に対応する特定に基づいてＭＴＣＨがスケジューリングされたスケジューリング周期を確定し、確定したスケジューリング周期においてＭＴＣＨに割り当てられたマルチキャスト資源を確定する。
【０１０９】
総じていえば、本発明の上記実施例によると、ＵＥが興味を持っているＭＴＣＨが１スケジューリング周期又は幾つかのスケジューリング周期内にマルチキャスト資源がスケジューリングされていない場合、即ち、該ＭＴＣＨがスケジューリングされていない場合、ＵＥは該スケジューリング周期内又は幾つかのスケジューリング周期内の他のＭＢＳＦＮサブフレームを受信する必要がなく、ＵＥの消費電力を削減でき、同時に、ＭＣＣＨに複数のＭＴＣＨが配置され、スケジューリングブロックにおいて幾つかのＭＴＣＨがスケジューリングされていない場合、ＵＥは自分の興味のあるＭＴＣＨがどのＭＢＳＦＮサブフレームに配置されているかを正確に把握でき、これらのＭＢＳＦＮサブフレームのみにおいてＭＴＣＨデータを読み取り受信することができる。
【０１１０】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１１１】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005559318.tif 000002
【図２】
0005559318.tif 000003
【図３】
0005559318.tif 000004
【図４】
0005559318.tif 000005
【図５】
0005559318.tif 000006